(57)【要約】    ストリップの走行方向（２）において垂直な二重式ロ−ラ（３，４）の後方に設けられたピンチローラ（５）を使用するという条件下で、前記ピンチローラが長手方向で作用する引張応力（６）を発生させる様式の、熱間圧延機から走出する幅広の金属ストリップ、特に鋼ストリップ（１）あるいはシート材を制御の下で矯正しかつ冷却するための方法および装置は、  金属ストリップ（１）あるいはシート材を前矯正機（７）と噴射冷却機構（８）との間で、一定の引張応力（６）の下で、引張応力（６）を制御することにより移動すること、  および、この噴射冷却機構（８）内において、金属ストリップを相前後して後続しているピンチローラ対（５ａ）間で冷却し、かつさらに引張応力（６）を制御することにより、  従来のシート材冷却設備の使用領域を、冷却作用が増強される際に、鋼ストリップ（１）が高い平坦度に達するまで拡張する。
2005512816.tif 000002
【特許請求の範囲】
【請求項１】
ストリップの走向方向において垂直な二重ロ−ラの後方に設けられた絞りローラを使用して、前記絞りローラが長手方向で作用する引張応力を発生させる様式の、熱間圧延機から走出する幅広の金属ストリップ、特に鋼ストリップあるいは板材を制御の下で矯正しかつ冷却するための方法において、
金属ストリップまたは板材を前矯正機と噴射冷却装置との間で、引張応力を制御することにより、一定の引張応力の下におくこと、
および、この噴射冷却装置内において、金属ストリップまたは板材を相前後して続く絞りローラ対間で冷却し、付加的に引張応力を制御することを特徴とする方法。
【請求項２】
金属ストリップあるいは板材の走行進捗に伴い、各々直後および直前の担持する絞りローラに対して速度を切換えることにより引張応力を制御することを特徴とする請求項１記載の方法。
【請求項３】
ある中心間距離をとって絞りローラを固定し、その際二つのローラ間で、中心間距離に依存して冷却ユニットを形成することを特徴とする請求項１または２に記載の方法。
【請求項４】
幅が最大でかつ冷却強度が高い場合には、中心間距離を最小の厚みのストリップあるいは板材に関して得られる特有な形状の半分の長さに調整することを特徴とする請求項３記載の方法。
【請求項５】
垂直方向の二重ローラ対とストリップ走行方向で続く絞りローラ対とを備え、これらのローラ対間で各々冷却装置が設けられている様式の、熱間圧延機から走出する幅広の金属ストリップ、特に鋼ストリップあるいは板材を制御の下で矯正しかつ冷却するための装置において、
その間で制御可能な引張応力が発生可能である、冷却ユニット（９）を備えた絞りローラ対（５ａ）の前方に、前矯正機（７）が設けられていることを特徴とする装置。
【請求項６】
冷却ユニット９が各々高い冷却強度あるいは中間の冷却強度に達せられるように構成されていることを特徴とする請求項５記載の装置。
【請求項７】
金属ストリップ（１）の出側（１８）内において、冷却ユニット（９）が精密に調節可能な冷却部材（１９）を備えていることを特徴とする請求項５または６に記載の装置。
【請求項８】
冷却ユニット（９）が、高い冷却効率および／または中程度の冷却効率能力に関して、所定の製品の多様性が得られるように構成されていることを特徴とする請求項５〜７のいずれか一つに記載の装置。
【請求項９】
金属ストリップ（１）あるいは板材の終端部（１ａ）における直前の担持する絞りローラ（５）あるいは矯正ローラ（２３）と、金属ストリップ（１）の始端部における絞りローラ（５）あるいは矯正ローラ（２４）との間で、同様に引張応力（６）が発生可能であることを特徴とする請求項５〜８のいずれか一つに記載の装置。
【発明の詳細な説明】
【技術分野】
【０００１】
本発明は、ストリップの走行方向において垂直な二重ローラの後方に設けられた絞りローラを使用して、前記絞りローラが長手方向で作用する引張応力を発生させる様式の、熱間圧延機から走出する幅広の金属ストリップ、特に鋼ストリップあるいは板材を制御の下で矯正しかつ冷却するための方法および装置に関する。
【背景技術】
【０００２】
冒頭で説明した方法とその装置は、基本的に特許文献１から公知である。この場合、同時制御の下で矯正するという条件下で、通過する鋼板材、特に厚い板材と中厚の板材を急冷するための方法と装置に関するものであり、この板材は急冷の前に熱い状態で少なくとも二つの並んで設けられた垂直な二重ローラにより一つの平面内で矯正される。引き続いて、板材は制御された引張応力の下で少なくとも一つの二重ローラにより急冷装置内を引き通される。この方法は、貫通する鋼板材を予め決められた機械的特性に基づいて、鋼板材が反り返るかあるいは歪みが生じることなく正確に急冷するのでなければならず、この場合同時にすでにそれ以前に現存している非平坦状態が低減されるのでなければならない。この処置にもかかわらず、常にまた板材の非平坦状態が生じ、この板材の非平坦状態は、引張応力の不十分な形成と不利な冷却とその他の不利な制御方法に帰着する。実際に使用される、基本的にノズル部材から成るかあるいは後冷却のために層流の水カーテンからなる冷却装置は、ほとんど改良することはできない。層流の冷却ユニットに関しては、原理的にＵ字管を使用する。ノズルの使用により、対応するパラメータを選択する際、最大の獲得可能な冷却効率を得ることができる。一般的に、かつ個別的には流量が少ない場合に、制御挙動と調節挙動が不完全であることが不利に作用する。
【特許文献１】ドイツ特許公開公報第３３１３０２４号明細書
【発明の開示】
【発明が解決しようとする課題】
【０００３】
本発明の根底をなす課題は、従来の板材冷却設備の使用領域を、冷却作用が増強される際に、板材が高い平担度に達するまで拡張することである。
【課題を解決するための手段】
【０００４】
上記の課題は、本発明に従い、金属ストリップまたは板材を前矯正機と噴射冷却装置との間で、引張応力を制御することにより一定の引張応力の下におくこと、および、この噴射冷却装置内において、金属ストリップを相前後して続く絞りローラ対間で冷却し、付加的に引張応力を制御することにより解決される。それにより、塑性変形が金属ストリップあるいは板材が冷却機構内に走入する前に直接生じる。この塑性変形により金属ストリップあるいは板材が非平坦状態に入ることは低減される。さらにその長所は、冷却前に矯正工程を直接配設することにより成立する。このように配設することにより、金属ストリップあるいは板材の表面を不均一に冷却することにより左右されはするが、固有の張力と変形が新たに構成されることは、回避される。
【０００５】
板材表面での冷却媒体（水）の不均一な冷却作用による条件つきであるが、冷却作用は実際引張応力の誘導作用により、またそれにより結合されている板材内の変形により制限されている。このような（不利な）効果は、比較的高い冷却効率を使用する場合、特に、薄くかつ同時に幅広の板材で現れる。設備の臨界の製品は、幅が最大でかつ冷却の強度が一様に高い場合、最小の厚さを有する板材により得られる。この冷却の強度は、冷却時間が短い場合、開始温度と冷却停止温度間の高い温度差により定義されている。実際の作業において、絞りローラはこの塑性変形の効果を阻止する。しかし、補償のこの形態の影響は限定されている。本発明に従い、冷却装置の前方に前矯正機を配設することにより、塑性変形が生じ、変形と引張応力の形成は冷却の直前に軽減される。
【０００６】
金属ストリップあるいは板材の走行進捗に伴い、各々直後および直前の担持する絞りローラに関して速度を切換えて、引張応力を制御することにより、冷却状態に入る際の変形に対抗できることは特に効果的である。
【０００７】
ある実施形態は、ある中心間距離をとって絞りローラを固定し、その際二つの絞りローラ間で、中心間距離に依存して冷却ユニットを形成することにある。
【０００８】
本発明の他の実施形態は、幅が最大でかつ冷却強度が高い場合には、中心間距離を最小の厚みのストリップあるいは板材に関して得られる特有な形状の半分の長さに調整することである。
【０００９】
熱間圧延機から走出する幅広の金属ストリップ、特に鋼ストリップあるいは板材を制御の下で矯正しかつ冷却するための装置は、垂直方向の二重ローラ対とストリップ走行方向で後続する絞りローラ対とを備え、これらのローラ対間で各々冷却装置が設けられている。
【００１０】
上記の課題は、本発明によるこのような装置により、その間で制御可能な引張応力が発生可能である冷却ユニットを備えた、絞りローラ対の前方に前矯正機が設けられていることにより解決される。それにより、引張応力は冷却の前にすでに伝達することができ、これにより現存する変形の大きさはすでにこのように低減される。さらに引張応力のもっと厳密な確定は冷却ユニット内部で行われる。
【００１１】
その他の特徴によれば、冷却ユニットが各々高い冷却強度あるいは中間の冷却強度に達せられるように構成されている。
【００１２】
さらに、金属ストリップの出側内において、冷却ユニットが精密に調節可能な冷却部材を備えていることにより、冷却システムの影響が増す。
【００１３】
さらに、冷却ユニットが高い冷却効率および／または中程度の冷却能力に関して、所定の製品の多様性（Produktspektrum）が得られるように構成されていることで冷却システムは発展する。
【００１４】
本発明の改良は、金属ストリップあるいは板材の終端部における直前の担持する絞りローラかあるいは矯正ローラと、金属ストリップあるいは板材の始端部における絞りローラかあるいは矯正ローラとの間で、同様に引張応力が発生可能であることにある。
【発明を実施するための最良の形態】
【００１５】
本発明の実施例を図を用いて以下に詳しく説明する。
【実施例】
【００１６】
長手方向（ストリップ走行方向２）において作用する引張応力６を介して、ストリップ走行方向２で垂直な二重ローラ３と４の後方に設けられた絞りローラ５を使用して、金属ストリップ、特に鋼ストリップ１あるいは金属板材を、制御の下で冷却しかつ矯正する。その際、金属ストリップ１を、前矯正機７と噴射冷却装置８との間で、（矯正ローラのための回転駆動モータを介して）引張応力を制御することにより一定の引張応力６の下におき、この噴射冷却機構８の内において、金属ストリップ１を相前後して続く絞りローラ対５ａ間で冷却し、付加的に引張応力６を制御する。噴射冷却機構８は各々二つの絞りローラ対５ａ間に設けられた冷却ユニット９（図１）から成る。金属ストリップ１がローラテーブル速度１０で到来する間、引張応力６は対応する回転モーメント１１を介して、フィードバック制御１２により制御されて、絞りローラ５（ｉ）から（ｉ＋ｎｃ）までの作用（Ａ）により表示される。ストリップ終端部１ａを通過して、絞りローラ５（ｉ）〜（ｉ＋ｎｃ＋１）の作用（Ｂ）により表示されると同時に、ストリップ終端部１ａ上で、対応する引張応力６が伝達され、ストリップ終端部１ａの外側では、わずかに比較速度だけが測定される。この場合、フィードバック制御１２は使用しない。ストリップ終端部１ａと同様にストリップ始端部１ｂに対しても、金属ストリップ１の走行進捗に伴い、直後および直前各々の担持している絞りローラ５に関して速度を切換えることにより引張応力６を制御する（図１参照）。
【００１７】
絞りローラ５は所定の中心間距離１３をおいて設けられている。この場合、二つの絞りローラ５間において、この中心間距離１３に依存して冷却ユニット９は形成される。従って、幅が最大でかつ冷却強度が高い場合に、例えば中心間距離１３は、厚さの薄い金属ストリップ１に関して、結果的に得られる波長１５の半分の長さ１４に当てはめることができる。鋼ストリップ１１においては、典型的な波長１５が現れる（図２Ａ）。
【００１８】
冷却ユニット９は各々高い冷却強度あるいは中間の冷却強度用に制御されている（図２Ｂ）。この場合、中心間距離１３は波長１５の半分に一致する（図２Ｂ参照）。波の変化１６は図２Ａと図２Ｂにおいて点線１７によりはっきり形作られている。
【００１９】
図３に冷却ユニット９の個別の様々な様態の冷却作用を示す。この温度−時間グラフで
、連続線はストリップ中心あるいは板材中心２０内の温度経過を表わし、破線は表面温度２１を表わしている。区間（１）において、噴射冷却ユニット８ａを使用する。鋼ストリップ１の出口１８において、Ｕ字管ユニット２２から成る冷却ユニット９が設けられている。
【００２０】
温度ΔＴ−中心（１）に基づいて、鋼ストリップ１内の中心の温度、すなわち温度ΔＴ−中心（２）が得られる。
【００２１】
さらに、温度ΔＴ−表面は噴射冷却ユニット８ａの領域内で得られる。Ｕ字管ユニット２２を使用する場合、短いステップでの必要な冷却停止温度は、Ｕ字管ユニット２２により得られる。表面の過冷却によるマルテンサイトの形成は、温度Ｔ−マルテンサイトよりも高い位置で阻止される。
【００２２】
金属ストリップ１あるいは板材の終端部１ａにおける直前の担持している絞りローラ５あるいは矯正ローラ２３と、金属ストリップ１の先端部１ｂにおける絞りローラ５あるいは矯正ローラ２４の間において、同じ方法で引張応力６を発生させることができる。
【００２３】
図４によれば、設備全体の外観図が示されており、ストリップ走行方向２で、前矯正機７に続いて、絞りローラ対５ａと冷却ユニット９を備えた噴射冷却機構８が続き、そしてその後ろに層流型冷却装置２５が続く。
【図面の簡単な説明】
【００２４】
【図１】発生する引張応力を伴う、絞りローラと駆動制御部を備えた冷却システム図。
【図２Ａ】中央の波の形の歪みを有する鋼ストリップあるいは板材の斜視図。
【図２Ｂ】中心間距離をおいて設けられた二つの絞りローラ対の側面図。
【図３】各々の冷却強度に関する冷却装置の配設。
【図４】矯正と冷却のための設備全体の外観図。
【符号の説明】
【００２５】
１      金属ストリップ、鋼ストリップあるいは板材
１ａ    ストリップ終端部
１ｂ    ストリップ始端部
２      ストリップ走行方向
３      二重ローラ
４      二重ローラ
５      絞りローラ
５      絞りローラ対
６      引張応力
７      前矯正機
８      噴射冷却機構
８ａ    噴射冷却ユニット
９      冷却ユニット
１０    ローラテーブル速度
１１    回転モーメント
１２    フィードバック制御機構
１３    中心間距離
１４    半分の長さ
１５    結果として生じる波長
１６    波の変化
１７    点線
１８    出口
１９    冷却部材
２０    ストリップ中心あるいは板材中心
２１    表面温度
２２    Ｕ字管ユニット
２３    矯正ローラ
２４    矯正ローラ
２５    層流型冷却装置
【図１】
2005512816.tif 000003
【図２ａ】
2005512816.tif 000004
【図２ｂ】
2005512816.tif 000005
【図３】
2005512816.tif 000006
【図４】
2005512816.tif 000007
【手続補正書】
【提出日】平成16年11月10日(2004.11.10)
【手続補正１】
【補正対象書類名】特許請求の範囲
【補正対象項目名】全文
【補正方法】変更
【補正の内容】
【特許請求の範囲】
【請求項１】
ストリップの走向方向（２）において垂直な二重ロ−ラ（３，４）の後方に設けられた絞りローラ（５）を使用して、前記絞りローラが長手方向で作用する引張応力を発生させる様式の、熱間圧延機から走出する幅広の金属ストリップ（１）、特に鋼ストリップあるいは板材（１）を制御の下で矯正しかつ冷却するための方法において、
金属ストリップ（１）または板材を前矯正機（７）と噴射冷却装置（８）との間で、引張応力を制御することにより、一定の引張応力の下におくこと、
および、この噴射冷却装置（８）内において、金属ストリップまたは板材を相前後して続く絞りローラ対（５ａ）間で冷却し、付加的に引張応力を制御することを特徴とする方法。
【請求項２】
金属ストリップ（１）あるいは板材の走行進捗に伴い、各々直後および直前の担持する絞りローラ（５）に対して速度を切換えることにより引張応力を制御することを特徴とする請求項１記載の方法。
【請求項３】
ある中心間距離をとって絞りローラ（５）を固定し、その際二つのローラ（５ａ）間で、中心間距離に依存して冷却ユニット（９）を形成することを特徴とする請求項１または２に記載の方法。
【請求項４】
幅が最大でかつ冷却強度が高い場合には、中心間距離を最小の厚みにストリップ（１）あるいは板材に関して得られる特有な形状の半分の長さに調整することを特徴とする請求項３記載の方法。
【請求項５】
垂直方向の二重ローラ対（３，４）とストリップ走行方向で続く絞りローラ対（５ａ）とを備え、これらのローラ対間で各々冷却装置が設けられている様式の、熱間圧延機から走出する幅広の金属ストリップ（１）、特に鋼ストリップ（１）あるいは板材を制御の下で矯正しかつ冷却するための装置において、
その間で制御可能な引張応力が発生可能である、冷却ユニット（９）を備えた絞りローラ対（５ａ）の前方に、前矯正機（７）が設けられていることを特徴とする装置。
【請求項６】
冷却ユニット９が各々高い冷却強度あるいは中間の冷却強度に達せられるように構成されていることを特徴とする請求項５記載の装置。
【請求項７】
金属ストリップ（１）の出側（１８）内において、冷却ユニット（９）が精密に調節可能な冷却部材（１９）を備えていることを特徴とする請求項５または６に記載の装置。
【請求項８】
冷却ユニット（９）が、高い冷却効率および／または中程度の冷却効率能力に関して、所定の製品の多様性が得られるように構成されていることを特徴とする請求項５〜７のいずれか一つに記載の装置。
【請求項９】
金属ストリップ（１）あるいは板材の終端部（１ａ）における直前の担持する絞りローラ（５）あるいは矯正ローラ（２３）と、金属ストリップ（１）の始端部における絞りローラ（５）あるいは矯正ローラ（２４）との間で、同様に引張応力（６）が発生可能であることを特徴とする請求項５〜８のいずれか一つに記載の装置。
【国際調査報告】
2005512816.tif 000008
2005512816.tif 000009
2005512816.tif 000010
2005512816.tif 000011